(57)【要約】      （修正有）【課題】重心および反発係数を大きく制御する事が可能な構造を有するゴルフクラブヘッドを提供する。【解決手段】打球フェース１１２とソール１１４とを有するボディを含むウッドタイプのゴルフクラブヘッド１１０を開示する。ソール１１４は、ゴルフクラブヘッド１１０に追加の重量を付加するための波状スロット１１６を含み得る。波状スロット１１６は、前部側壁１１８と、後部側壁１１９と、少なくとも１つの波部１２０とを含み得る。波部１２０は、前部側壁と後部側壁との間に位置決めされ得て、ソールの下方に突き出ないように波部の最下点に谷部１２１を含み得る。また、波状スロット１１６は、各々が同一または異なる高さであり得る２つ、３つまたはそれ以上の波部を有し得る。【選択図】図３
2015160137.tif 000002
【特許請求の範囲】
【請求項１】
ゴルフクラブヘッドであって、
内部空洞を規定し、打球フェースとソールとを含むボディと、
前記ソール上に位置し、第１の側壁と第２の側壁と少なくとも１つの波部とを備える波状スロットとを備え、
前記第１の側壁は、実質的に第１の概して上向きの方向に延び、前記打球フェースの近位に位置しており、前記第２の側壁は、実質的に第２の概して上向きの方向に延び、前記第１の側壁から見て前記打球フェースと反対側に位置しており、
各々の波部は、前記第１の側壁と第２の側壁との間に位置決めされ、谷部を備える、ゴルフクラブヘッド。
【請求項２】
前記波状スロットは、実質的に等しい高さの２つの波部を備える、請求項１に記載のゴルフクラブヘッド。
【請求項３】
前記第１の側壁の高さは、前記第２の側壁の高さに実質的に等しい、請求項１に記載のゴルフクラブヘッド。
【請求項４】
前記波状スロットは、第１の高さを有する第１の波部と、第２の高さを有する第２の波部とを備え、前記第２の高さは、前記第１の高さよりも高い、請求項１に記載のゴルフクラブヘッド。
【請求項５】
前記第１の波部は、前記第１の側壁の近位に位置し、前記第２の波部は、前記第２の側壁の近位に位置している、請求項４に記載のゴルフクラブヘッド。
【請求項６】
前記第２の波部は、前記第１の側壁の近位に位置し、前記第１の波部は、前記第２の側壁の近位に位置している、請求項４に記載のゴルフクラブヘッド。
【請求項７】
前記第１の側壁の高さは、前記第２の側壁の高さよりも高い、請求項４に記載のゴルフクラブヘッド。
【請求項８】
前記第２の側壁の高さは、前記第１の側壁の高さよりも高い、請求項４に記載のゴルフクラブヘッド。
【請求項９】
前記第１の側壁の高さは、前記第２の側壁の高さに実質的に等しい、請求項４に記載のゴルフクラブヘッド。
【請求項１０】
前記ゴルフクラブヘッドの前記波状スロット部に取付けられ、前記ソールの下方に突き出ないように配置されたダンパをさらに備える、請求項１に記載のゴルフクラブヘッド。
【請求項１１】
前記ダンパは、タングステン、プラスチック、アルミニウムおよび鋼のうちの１つ以上を含む、請求項１０に記載のゴルフクラブヘッド。
【請求項１２】
前記ダンパは、はんだ付け、溶着、接着、クリッピングおよびリベット留めのうちの１つ以上によって取付けられる、請求項１１に記載のゴルフクラブヘッド。
【請求項１３】
前記波状スロットは、少なくとも３つの波部を備える、請求項１に記載のゴルフクラブヘッド。
【発明の詳細な説明】
【技術分野】
【０００１】
本発明は、一般にゴルフクラブヘッドに関し、より特定的には波状ソール特徴を有するウッドタイプのゴルフクラブヘッドに関する。
【背景技術】
【０００２】
現在のドライバおよびフェアウェイウッドゴルフクラブヘッドは、一般に、鋼またはチタン合金で形成されている。例えば体積が３００ｃｃを超える大型ドライバヘッドは、通常、Ｔｉ−６Ａｌ−４Ｖなどのチタン合金で形成されている。しかし、変更が加えられない限り、大型ヘッドは比較的高い重心（center of gravity：ＣＯＧ）を有する可能性があり、このことは、打ち出し角度、スピンおよびゴルフボールの飛行軌道に悪影響を及ぼし得る。また、変更が加えられていない大型ヘッドは、重心がフェースから遠く離れ過ぎる傾向があり、このことも打ち出し角度、スピンおよび飛行軌道に悪影響を及ぼし得る。したがって、多くのクラブヘッドは、クラブヘッドの重心を下げてクラブヘッドの前部に（すなわち、打球フェース付近に）近付けるために、例えばヘッドに鋳造されたスロットまたはウェイトパッドを有している。
【０００３】
現在市場に出回っているいくつかのゴルフクラブは、ゴルフボール打ち出し条件を向上させ、かつ、クラブヘッドの重心を下げることを意図した、フェースの近位に位置するソール特徴を含んでいる（たとえば、特許文献１参照）。これらのソール特徴は、しばしば、図１および図２に示されるように平行な側壁を有するスロットまたは溝である。この例では、クラブヘッド１０のボディは、打球フェース１２と、ソール１４と、スロット１６とを含み得る。スロット１６は、高さ１９を有する側壁１８と、幅２１を有する上壁２０とを有している。スロット１６はフェース１２に柔軟性を付加するので、スロット１６は反発係数（coefficient of restitution：ＣＯＲ）を向上させることもでき、その結果、ボール打ち出し特性を向上させることができる。
【先行技術文献】
【特許文献】
【０００４】
【特許文献１】特開２０１４−０４５８７１号公報
【発明の概要】
【発明が解決しようとする課題】
【０００５】
この構成を用いて性能を向上させようという試みは、クラブヘッドのソール１４に直接重量を付加すること、または、スロット高さ１９、スロット幅２１を間接的に大きくすること、および／または、上壁２０の厚みを大きくすることを含んでいた。しかし、スロット高さ１９を大きくすると、一般にクラブヘッドのＣＯＧを上昇させることになる。さらに、製造プロセス中に型からクラブヘッドを取外すことの困難さが増すことにもなる。一方、幅２１を大きくすると、プレー中のクラブヘッドとの望ましくない芝生の相互作用（例えば、引っかかり）の可能性が高まり得る。上壁２０またはソール１４の厚みを大きくすると、鋳造ピンホールおよび／または不均一な壁面などの製造上の欠陥が引起される可能性がある。したがって、この構成は、ＣＯＲを向上させることができるが、ＣＯＧ位置に対する制御を犠牲にしてＣＯＲを向上させ、製造プロセスに対して困難さおよび費用を追加することになる。
【０００６】
これらのスロット構造は、一般に製造を容易にするために選択されるが、最適化されたボール打ち出し条件をもたらさない。さらに、上記のように、より厚みのある壁またはより深いスロットを鋳造しようと試みることにより、例えば鋳造欠陥および他の製造上の問題が引起される可能性があるので、これらのスロット構造の構成は制限される。これらの制約の結果、従来のスロット構成は、ＣＯＲを向上させてＣＯＧを移動させることができる程度に制限される。
【０００７】
したがって、鋳造ピンホール、波状面および不安定な肉厚などの製造上の困難さを引起すことなく、向上したゴルフボール打ち出し条件をもたらすゴルフクラブヘッド構造が必要である。また、ＣＯＧおよびＣＯＲをより大きく制御するゴルフクラブヘッド構造が必要である。また、ゴルフクラブヘッドは、従来の鋳造技術を用いて容易に鋳造可能であるべきである。本発明の実施例は、これらのニーズおよびそれ以上のことに対処する。
【課題を解決するための手段】
【０００８】
簡単な概要
本発明の実施例は、ウッドタイプのゴルフクラブに関し、特定的には打球フェースとクラウンとソールとを有するクラブヘッドを備える本開示に係るゴルフクラブに関する。ソールは、ゴルフクラブのクラブヘッドに追加の重量を付加するためのスロットを含み得る。本開示に係るスロットは、ソールのスロット領域に形成された１つ以上の波形状を有する波部特徴を含み得る。
【０００９】
いくつかの実施例では、ゴルフクラブヘッドは、内部空洞を規定し、打球フェースとソールとを含むボディを備え得る。いくつかの実施例では、波状スロットが、ソール上に位置し得て、第１の側壁と第２の側壁と少なくとも１つの波部とを備え得る。第１の側壁は、実質的に第１の概して上向きの方向に延び得て、打球フェースの近位に位置し得て、第２の側壁は、実質的に第２の概して上向きの方向に延び得て、第１の側壁から見て打球フェースと反対側に位置し得る。いくつかの実施例では、第１および第２の側壁は、互いに鋭角で配置され得る。いくつかの実施例では、波部は、第１の側壁と第２の側壁との間に位置決めされ得て、ソールの下方に突き出ない谷部を備え得る。
【００１０】
なお、ここで第１の概して上向きの方向とは、ソールが地面に接するようにゴルフクラブヘッドを地面上に置いた場合に、地面から離れる方向（ソールから離れる方向）であって、地面に対して垂直な方向および当該地面に対して傾いた方向を含み得る。上記第１の概して上向きの方向として、ソールから離れるとともに打球フェースからも徐々に離れる方向（ソールに対して後方側へ傾斜した方向）を採用してもよい。
【００１１】
また、ここで第２の概して上向きの方向とは、ソールが地面に接するようにゴルフクラブヘッドを地面上に置いた場合に、地面から離れる方向（ソールから離れる方向）であって、地面に対して垂直な方向および当該地面に対して傾いた方向を含み得る。上記第２の概して上向きの方向として、ソールから離れるとともに打球フェースへ徐々に近づく方向（ソールに対して前方側（打球フェース側）へ傾斜した方向）を採用してもよい。
【００１２】
いくつかの実施例では、波状スロットは、実質的に等しい高さの２つの波部を備え得る。いくつかの実施例では、第１の側壁の高さは、第２の側壁の高さに実質的に等しくてもよい。他の実施例では、波状スロットは、第１の高さを有する第１の波部と、第２の高さを有する第２の波部とを備え得て、第２の高さは、第１の高さよりも高い。いくつかの実施例では、第１の波部は、第１の側壁の近位に位置し得て、第２の波部は、第２の側壁の近位に位置し得る。他の実施例では、第２の波部は、第１の側壁の近位に位置し得て、第１の波部は、第２の側壁の近位に位置し得る。
【００１３】
いくつかの実施例では、第１の側壁の高さは、第２の側壁の高さよりも高くてもよく、他の実施例では、第２の側壁の高さは、第１の側壁の高さよりも高くてもよい。他の実施例では、第１の側壁の高さは、第２の側壁の高さに実質的に等しい。本開示のいくつかの実施例は、ソールの下方に突き出ないようにゴルフクラブヘッドの波状スロット部に取付けられたダンパを備え得る。ダンパは、例えばタングステン、プラスチック、アルミニウムまたは鋼を含み得るが、それに限定されるものではない。いくつかの実施例では、ダンパは、例えばはんだ付け、溶着、接着、クリッピングまたはリベット留めによって取付けられ得る。
【００１４】
本発明の上記および他の目的、特徴、局面および利点は、添付の図面と関連して理解されると本発明の以下の詳細な説明から明らかとなるであろう。
【００１５】
詳細な説明は、一例として図面を参照して、利点および特徴とともに本発明の例示的な実施例を説明する。
【図面の簡単な説明】
【００１６】
【図１】第１のソール溝構成を有する先行技術のゴルフクラブヘッドの断面図である。
【図２】図１の先行技術のゴルフクラブヘッドの底面斜視図である。
【図３】本発明のいくつかの実施例に係るウッドタイプのゴルフクラブヘッドの断面図である。
【図４】本発明のいくつかの実施例に係る図３のウッドタイプのゴルフクラブヘッドの底面図である。
【図５Ａ】本発明のいくつかの実施例に係るさまざまな波部構成を有するウッドタイプのゴルフクラブヘッドの断面図である。
【図５Ｂ】本発明のいくつかの実施例に係るさまざまな波部構成を有するウッドタイプのゴルフクラブヘッドの断面図である。
【図５Ｃ】本発明のいくつかの実施例に係るさまざまな波部構成を有するウッドタイプのゴルフクラブヘッドの断面図である。
【図５Ｄ】本発明のいくつかの実施例に係るさまざまな波部構成を有するウッドタイプのゴルフクラブヘッドの断面図である。
【図５Ｅ】本発明のいくつかの実施例に係るさまざまな波部構成を有するウッドタイプのゴルフクラブヘッドの断面図である。
【図５Ｆ】本発明のいくつかの実施例に係るさまざまな波部構成を有するウッドタイプのゴルフクラブヘッドの断面図である。
【図６】本発明のいくつかの実施例に係るダンパを含むウッドタイプのゴルフクラブヘッドの底面図である。
【図７】本発明のいくつかの実施例に係る図３のウッドタイプのゴルフクラブヘッドの変形例の底面図である。
【図８】比較例のゴルフクラブヘッドの底面図である。
【図９】比較例のゴルフクラブヘッドの断面図である。
【図１０】実施例のゴルフクラブヘッドの底面図である。
【図１１】実施例のゴルフクラブヘッドの断面図である。
【図１２】評価したパラメタを説明するためのゴルフクラブヘッドの側面図である。
【図１３】評価したパラメタを説明するためのゴルフクラブヘッドの正面図である。
【発明を実施するための形態】
【００１７】
詳細な説明
本発明の実施例は、一般にゴルフクラブヘッドに関し、より特定的にはそのソール上のウェイトスロットに波部を有するゴルフクラブヘッドに関する。いくつかの実施例では、ゴルフクラブヘッドは、ウェイトスロットを用いることにより底面前部領域に重量を付加させることができる。ウェイトスロットは、スロット壁の厚みを増大させることなくスロットの重量を増やすために、例えば波形状を含み得る。いくつかの実施例では、ウェイトスロットは、２つ以上の波形状を含み得る。
【００１８】
本発明の実施例は、波またはジクザグ形状で上向きおよび下向きに交互に延びる連続的な壁を有する波状スロットを備え得る。波部は、前部スロット側壁の高い地点から開始して、後部スロット側壁の高い地点で終了し得る。当該波形状により、既存の製造技術に適応するようにスロット肉厚を一貫したものにすることが可能になり得る。また、この波形状により、ＣＯＧ位置を打球フェースの方に移動させる目的で打球フェースに隣接したクラブヘッドのソールの質量を増大させることもできる。
【００１９】
説明を単純および明確にするために、本明細書では本発明はウッドタイプのゴルフクラブヘッドとして記載されている。しかし、本発明がそのように限定されるものではないということを当業者は認識するであろう。本発明のさまざまな要素を構成するものとして以下に記載される材料は、例示的であるよう意図されており、限定的であるよう意図されたものではない。本明細書に記載される材料と同一または類似の機能を果たすであろう多くの好適な材料が、本発明の範囲内に包含されるよう意図されている。本明細書に記載されていないこのような他の材料としては、本発明の開発後に開発される材料が挙げられ得るが、それらに限定されるものではない。
【００２０】
上記のように、従来のゴルフクラブヘッドの一般的な問題は、スロットの厚みまたはスロットの深さを大きくすることができることによってウェイトスロットの使用が制限されることである。これは、製造上の欠陥なしに使用可能な肉厚を制限するか、または、鋳造時の制約のためにウェイトスロットの深さを制限する従来の製造技術に起因し得る。これにより、さらなる部品または材料を追加することなくＣＯＧを前方に移動させることができる程度が制限される。
【００２１】
図３および図４は、本開示のいくつかの実施例に係るクラブヘッド１１０の実施例を示す。クラブヘッド１１０は、打球フェース１１２と、ソール１１４と、波状スロット１１６とを含み得る。いくつかの実施例では、波状スロット１１６は、前部側壁１１８と、後部側壁１１９と、１つ以上の波部１２０とを備え得る。波状スロット１１６は、打球フェース１１２の近位のソール１１４上に位置し得る。波状スロット１１６の位置は、とりわけクラブヘッド１１０のＣＯＧおよびＣＯＲに影響を及ぼし得る。
【００２２】
例えば打球フェース１１２のより近くに波状スロット１１６を位置付けることによって、前方（すなわち、打球フェース１１２の方）にも下向き（すなわち、ソール１１４の方）にもＣＯＧを移動させることができる。ＣＯＧの位置は、クラブヘッド１１０のスピン生成特性（例えば、ボールに伝えられるスピンを減少または増加させること）に関与し得る。その結果、前方および下向きにＣＯＧを移動させることができることにより、向上したスピン特性をクラブヘッドにもたらすことができる。
【００２３】
先行技術において用いられるより長方形の溝と比較して、波状スロット特徴１１６を用いることにより、所与の肉厚で、クラブヘッド１１０のソール１１４により多くの重量を付加することが可能になり得る。これは、長方形の溝の底面がほぼ平坦であるのに対して、波状スロット１１６では１つ以上の波部１２０が形成されているので、波状スロット１１６を構成するクラブヘッド１１０の外殻の体積は長方形の溝を構成する当該外殻の体積より大きくなるためである。そして、肉厚が製造プロセスによって事実上制限され得るので、波状スロット１１６の構成は、先行技術よりも大きな範囲のクラブヘッド重量およびＣＯＧ位置（例えば、より下方およびさらに前方）を可能にする。いくつかの実施例では、波状スロット１１６の重量、ひいてはクラブヘッド１１０の重量およびＣＯＧを制御するために、波部１２０の数を変化させてもよい。
【００２４】
波状スロット１１６を用いることにより、ＣＯＲ特性も向上させることができる。例えば従来のクラブヘッドと比較して、クラブヘッド１１０は、打球フェース１１２のより大きな面にわたって、向上したＣＯＲを有することができる。波状スロット１１６は、剛性が減少した領域を打球フェース１１２上にもたらすことができ、インパクト時に波状スロット１１６が「アコーディオンのように動作する」のでトランポリン効果を増大させることができる。このように、フェースのより大きな領域にわたってより大きな力をボールに伝えることができ、打撃の一貫性が向上する。打球フェース１１２の大きな領域にわたってＣＯＲを向上させた結果、「スイートスポット」が大きくなり、その結果、クラブヘッドの性能を向上させることができ、所望のボール飛行を生成（再生）するために必要なユーザのスキルおよび精度を少なくすることができる。
【００２５】
ＣＯＲの変化は、例えば波状スロット１１６の数および寸法を変更することによって制御可能であり、波状スロット１１６の数および寸法は、例えば打球フェースに最も近い波部１２０の高さなどであるが、それに限定されるものではない。各々の波部１２０は、谷１２１または低い地点と、ピーク１２２とを有し得る。いくつかの実施例では、第１の波部（すなわち、谷１２１からピーク１２２まで）の高さは、所望のＣＯＲの向上およびより大きなスイートスポットをもたらすために、例えば２．０ｍｍ以上であってもよい。各側壁１１８，１１９の高さも、所望のＣＯＲの向上およびＣＯＧ位置をもたらすように選択され得る。たとえば、波部の高さ（谷１２１からピーク１２２までの垂直方向における距離）を２．０ｍｍ以上としておくことで、打球フェース１１２の中心より下側（地面側）の位置における反発係数を、当該波状スロット１１６が無い場合と比べて効果的に高め得る。
【００２６】
図４に示すように、波状スロット１１６は、クラブヘッド１１０のヘッド幅１３０の中央より前側（打球フェース１１２側）に配置されていてもよい。また、波状スロット１１６において打球フェース１１２に最も近い部分であって打球フェース１１２に沿って延びる前側部１１６ａの、トウ−ヒール方向における長さ１３２は１０ｍｍ以上であってもよく、２０ｍｍ以上であってもよい。また、前側部１１６ａはクラブヘッド１１０のソール中央線１３１と交差するように配置されていてもよい。また、ソール中央線１３１が前側部１１６ａにおけるトウ−ヒール方向における中央を通るように、前側部１１６ａが配置されていてもよい。
【００２７】
図５Ａ〜図５Ｆは、クラブヘッドのための代替的な波形状を示す。各々の特有の形状は、異なるＣＯＧおよびＣＯＲ特性ならびに異なる全重量を有し得る。示されているパターンは、特定のユーザまたは用途にとって所望の特性をクラブヘッドにもたらすように選択され得る。図５Ａ〜図５Ｆは、寸法および波部のサイズをいかに変更することができるかということの例を示すために示されているに過ぎず、本開示の実施例を限定することを意図したものではない。
【００２８】
本開示に係るいくつかの実施例は、クラブヘッド２１０と、打球フェース２１２と、ソール２１４と、波状スロット２１６とを備え得る。波状スロット２１６は、前部側壁２１８と、後部側壁２１９と、第１の波部２２２と、第２の波部２２３とを含み得る。各々の波部２２２，２２３は、各々の波部の低い地点における谷部２２１と、各々の波部の高い地点におけるピーク２２９とを有し得る。波状スロット２１６の側壁２１８，２１９および波部２２２，２２３は、各々、それらに関連付けられた高さ２２５，２２６，２２７，２２８を有し得る。いくつかの実施例では、例えば、前部側壁２１８の高さ２２５は、後部側壁２１９の高さ２２６に実質的に等しくてもよい。同様に、いくつかの実施例では、第１の波部２２２の高さ２２７は、第２の波部２２３の高さ２２８に実質的に等しくてもよい。
【００２９】
いくつかの実施例では、波状スロット２１６は、例えば他の構成（例えば、波状スロット３１６，４１６，５１６，６１６および７１６）と比較して比較的小さな高さを有し、したがって軽量である波部２２２，２２３を備え得る。図５Ｂには、打球フェース３１２と、ソール３１４と、波状スロット３１６とを有するクラブヘッド３１０が示されている。この構成では、第１の波部３２２の高さは、第１の波部２２２の高さに実質的に等しくてもよいが、第２の波部３２３の高さは、第２の波部２２３の高さよりも高くてもよい。図５Ａにおける波状スロット２１６のように、波状スロット３１６は、高さが後部側壁３１９に実質的に等しい前部側壁３１８を有し得る。このような構成は、例えばクラブヘッド２１０と３１０との間で類似のＣＯＲ性能をもたらすことができるが、クラブヘッド３１０のＣＯＧは、打球フェース１１２にさらに近くなっている。
【００３０】
いくつかの実施例では、図５Ａ〜図５Ｄに示されるように、前部側壁および後部側壁は、高さが実質的に等しくてもよい。他の実施例では、図５Ｅ〜図５Ｆに示されるように、前部側壁および後部側壁は、異なる高さを有していてもよい。側壁の高さを変化させることによって、波状スロットの重量は、クラブヘッドの打球フェースの近くに、またはクラブヘッドの打球フェースから離れて位置し得る。本開示の実施例は、１つ、２つ、３つまたはそれ以上の波部を有する波状スロットの構成を含み得る。また、本開示に係る実施例は、特定の用途についての所望の重量、ＣＯＲ値およびＣＯＧ位置に従って変化する側壁の高さおよび波部の高さを有する波状スロットの構成を含み得る。
【００３１】
一般に、より高い前部側壁および前部波部を有する本開示の実施例は、より短い前部側壁およびより高い第２または第３の波部を有するように設計されたクラブヘッドよりも、打球フェースのより近くであって、かつ、ソールからより高いＣＯＧ位置を有し得る。クラブヘッドが打球フェースのより近くにＣＯＧを有する場合、打球フェースから離れた所にＣＯＧを有するクラブヘッドよりも少ないスピンをボールに伝える傾向があり得る。さらに、クラブヘッドのＣＯＧの高さは、最も高いＣＯＲを有する打球フェース上の位置である「スイートスポット」の位置およびサイズを変化させ得る。これらの特徴は、例えば大なり小なりスピンを望むゴルファーに合わせて調整可能である。
【００３２】
いくつかの実施例では、短い方の波部の高さは、およそ１．０〜２．０ｍｍであり得る。高い方の波部の高さは、およそ２．０〜４．０ｍｍであり得る。打球フェースに最も近い波部の短い方の波部の高さは、例えば、打球フェースの下方部分のＣＯＲを実質的に増大させることはできないが、高い方の波部が場合によってはこのような効果を有し得る。いくつかの実施例では、所望のクラブヘッド重量およびＣＯＧ位置などの設計上の考慮すべき事項は、特定の波部のサイズおよび構成を示唆し得る。
【００３３】
いくつかの実施例では、図６に示されるように、クラブヘッド８１０は、例えばクラブヘッドの打撃音を制御して望ましくない芝生の相互作用（例えば、引っかかりおよび掘り返し）を最小限にすることを目的とするがそれらに限定されない目的で、ダンパ２４を備え得る。変更が加えられなければ、構成および材料次第で、クラブヘッド８１０は、ボールを打ったときに望ましくない音を生成する恐れがある。また、クラブヘッド８１０は、ゴルフボールが載っている芝生と相互作用する恐れがある。引っかかり、キャッチング、えぐり出しなどの望ましくない芝生の相互作用の結果、スイングのずれ、ミスヒット、さらには怪我が引起される恐れがある。この目的で、これらの場合によっては望ましくない影響の大きさを減少させるためにダンパ２４が利用され得る。ダンパ２４は、波状スロットに取付けられ、クラブヘッド８１０のソールの下方に突き出ないようにサイズ決めされ得る。
【００３４】
いくつかの実施例では、ダンパ２４は、クラブヘッドのＣＯＧをさらに下げるために、タングステンなどの特に高密度の重い材料を含み得る。他の実施例では、ダンパ２４は、例えばプラスチック、アルミニウムまたは鋼を含み得るが、それに限定されるものではない。ダンパ２４は、例えばソール１１４にはんだ付けされ得るか、溶着され得るか、接着され得るか、クリッピングされ得るか、またはリベット留めされ得るが、それに限定されるものではない。
【００３５】
また、図７に示すように、クラブヘッド９１０では、たとえばソール９１４に形成された波状スロット９１６は、平面視において複数の屈曲部９１６ｂ、９１６ｃ、９１６ｆ、９１６ｇを含んでいてもよい。さらに、波状スロット９１６は、上記複数の屈曲部９１６ｂ、９１６ｃ、９１６ｆ、９１６ｇを介して接続された前側部９１６ａ、第１側方部９１６ｄ、９１６ｅ、および第２側方部９１６ｈ、９１６ｉをさらに含んでいてもよい。具体的には、前側部９１６ａは、平面視において打球フェース９１２側に位置するとともに打球フェース９１２に沿って延びる。前側部９１６ａには、当該前側部９１６ａの両端部に位置する屈曲部９１６ｂ、９１６ｃを介して、前側部９１６ａの延在方向と交差する方向に延びる第１側方部９１６ｄ、９１６ｅが接続されている。第１側方部９１６ｄ、９１６ｅには、前側部９１６ａと接続された端部と反対側の端部に位置する屈曲部９１６ｆ、９１６ｇを介して、第２側方部９１６ｈ、９１６ｉが接続されている。第２側方部９１６ｈ、９１６ｉのそれぞれは、第１側方部９１６ｄ，９１６ｅの延在方向と異なる方向に延びる。
【００３６】
また、異なる観点から言えば、波状スロット９１６の平面形状は、クラブヘッド９１０の外周に沿うように屈曲した形状を有していてもよい。波状スロット９１６の端部９１６ｊ、９１６ｋは、クラブヘッド９１０の前後方向（図７の左右方向）においてクラブヘッド９１０の中央部より後側に位置してもよい。
【００３７】
また、上述したクラブヘッドにおける波状スロットでは、２つの波部が形成されているが、当該波部の数は３つ以上でもよい。たとえば波部の数は３つでもよいし、４つとしてもよく、５つ以上としてもよい。
【００３８】
（実施例１）
実施例のクラブヘッドと比較例のクラブヘッドとについて、重心位置や反発係数についてシミュレーションによって検討した。
【００３９】
＜試料＞
比較例のクラブヘッドとして、図８および図９に示すような構成のクラブヘッドを考えた。また、実施例のクラブヘッドとしては、図１０および図１１に示すような構成（ソールに波状スロットが形成された構成）のクラブヘッドを考えた。図８〜図１１からわかるように、比較例のクラブヘッドと実施例のクラブヘッドとは、基本的な形状は同様であるが、実施例のクラブヘッドのソールにおいて波状スロット１６（図１０、図１１参照）が形成されている一方、比較例のクラブヘッドでは、上記実施例のクラブヘッドの波状スロットが形成された場所に対応する領域１１がほぼ平坦なソール表面となっている。また、比較例と実施例とで重心の位置をほぼそろえるため、比較例のクラブヘッドでは、図９などからも分かるように、上記領域１１に錘５１２が配置されている。
【００４０】
比較例のクラブヘッドと実施例のクラブヘッドについて、波状スロット１６が形成された領域または錘５１２が配置された領域以外の部分の構成は、基本的に同じとした。
【００４１】
＜計算方法＞
シミュレーションソフト（Ｃｒｅｏ／Ｍｅｃｈａｎｉｃａ  ：  ＰＴＣ  Ｉｎｃ．）を用いて、比較例および実施例のクラブヘッドについて、重心（ＣＯＧ）の位置、スイートスポット（ＳＳ）の位置、打球フェースの中心点（第１測定点）における反発係数、打球フェースの中心から地面側に下がった位置であって、地面から１２ｍｍの距離となっている第２測定点における反発係数を算出した。
【００４２】
なお、図１２に示すように、重心１３の位置については地面５１８から重心１３までの高さａ、およびスイートスポット（ＳＳ１４）から重心１３までの距離ｃを評価パラメータとした。また、スイートスポット（ＳＳ１４）については、地面５１８からＳＳ１４までの高さｂを評価パラメータとした。
【００４３】
また、図１３に示すように、打球フェースの中心点（第１測定点１５）は、打球フェースを含む平面において打球フェースの外周に接する四角形を仮定し、当該四角形の中心点とした。また、第２測定点１７は、上記打球フェースを含む平面において、第１測定点１５を通り、地面５１８に垂直な線分上において地面５１８からの距離が１２ｍｍとなる位置とした。なお、第２測定点１７は、ゴルファーが実際にボールを打つ位置を想定して決定した。
【００４４】
＜結果＞
実施例のクラブヘッドにおける重心１３の地面５１８からの高さａは１５．７ｍｍ、ＳＳ１４から重心１３までの距離ｃは２３．７ｍｍ、地面５１８からＳＳ１４までの高さｂは２６．３ｍｍであった。また、実施例のクラブヘッドの第１測定点１５における反発係数（ＣＯＲ）は０．７９８であった。
【００４５】
また、比較例のクラブヘッドにおける重心１３の地面５１８からの高さａは１５．５ｍｍ、ＳＳ１４から重心１３までの距離ｃは２３．４ｍｍ、地面５１８からＳＳ１４までの高さｂは２６．８ｍｍであった。また、比較例のクラブヘッドの第１測定点１５における反発係数（ＣＯＲ）は０．７９９であった。このように、上述した高さａ、高さｂ、距離ｃおよび第１測定点１５における反発係数は、実施例と比較例とでほぼ同じになっている。特に、第１測定点１５における反発係数については、実施例と比較例とでその差が０．００１と小さくなっている。
【００４６】
一方、実施例の第２測定点１７における反発係数は０．７８０であり、比較例の第２測定点１７における反発係数は０．７７０であった。第２測定点１７における反発係数については、実施例と比較例とでその差が０．０１０となっている。つまり、第２測定点１７では、反発係数の実施例と比較例との差が第１測定点１５における当該差の１０倍となっている。
【００４７】
これは、実施例のクラブヘッドにおいて波状スロット１６が形成されていることにより、第２測定点１７における反発係数が比較例の当該反発係数より大きくなったためである。このように、実施例のクラブヘッドでは、重心１３の位置などを比較例と同様としながら、打球フェースにおいて十分な反発係数を有する領域を広くすることができる。
【００４８】
(実施例２）
＜試料＞
実施例１の実施例のクラブヘッドの構成において、図１１に示す波状スロット１６の打球フェース寄りの波部の高さｄを１．０ｍｍ、１．５ｍｍ、２．０ｍｍ、２．５ｍｍ、３．５ｍｍと変えた構成（サンプル１〜サンプル５）を考えた。なお、ここで波部の高さｄとしては、波部の中央部に位置する谷から波部の両端のピークまでの垂直方向における高さのうち小さい値を示す高さを用いた。
【００４９】
＜計算方法＞
実施例１と同様のシミュレーションソフトを用いて、上述した各クラブヘッドについて第１測定点１５および第２測定点１７における反発係数を算出した。
【００５０】
＜結果＞
第１測定点１５における反発係数は、高さｄが１．０ｍｍ〜２．０ｍｍ（サンプル１〜サンプル３）の場合０．７９９、高さｄが２．５ｍｍ、３．５ｍｍ（サンプル４、５）の場合０．８００であった。一方、第２測定点１７における反発係数は、高さｄが１．０ｍｍ（サンプル１）の場合０．７７１、高さｄが１．５ｍｍ（サンプル２）の場合０．７７３、高さｄが２．０ｍｍ（サンプル３）の場合０．７８０、高さｄが２．５ｍｍ（サンプル４）の場合０．７８０、高さｄが３．５ｍｍ（サンプル５）の場合０．７８１であった。
【００５１】
このように、高さｄが２．０ｍｍ以上である場合、第２測定点１７における反発係数をある程度大きくできる。
【００５２】
なお、ここで高さｄは、打球フェース寄りの波部における谷からピークまでの高さとしたが、波部において谷の両側に位置するピークのそれぞれまでの高さが異なる場合（たとえば図５Ｄ〜図５Ｆなどに示す構成の場合）、高さｄは谷から２つのピークまでの高さのうち小さい方の高さとしてもよい。
【００５３】
今回開示された実施の形態および実施例はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【符号の説明】
【００５４】
１１  領域、１３  重心、１４  スイートスポット、１５  第１測定点、１７  第２測定点、１１０，２１０，３１０，４１０，５１０，６１０，７１０，８１０，９１０  ゴルフクラブヘッド、１１２，２１２，３１２，９１２  打球フェース、１１４，２１４，３１４，９１４  ソール、１６，１１６，２１６，３１６，４１６，５１６，６１６，７１６，９１６  波状スロット、１１８，２１８，３１８  側壁、１１９，２１９，３１９  側壁、１２０，２２２，２２３，３２２，３２３  波部、１２１，２２１  谷部、１１６ａ，９１６ａ  前側部、９１６ｂ，９１６ｃ，９１６ｆ，９１６ｇ  屈曲部、９１６ｄ，９１６ｅ  第１側方部、９１６ｈ，９１６ｉ  第２側方部、９１６ｊ，９１６ｋ  端部、１３０  ヘッド幅、１３１  ソール中央線、１３２  長さ、５１２  錘、５１８  地面。
【図１】
2015160137.tif 000003
【図２】
2015160137.tif 000004
【図３】
2015160137.tif 000005
【図４】
2015160137.tif 000006
【図５Ａ】
2015160137.tif 000007
【図５Ｂ】
2015160137.tif 000008
【図５Ｃ】
2015160137.tif 000009
【図５Ｄ】
2015160137.tif 000010
【図５Ｅ】
2015160137.tif 000011
【図５Ｆ】
2015160137.tif 000012
【図６】
2015160137.tif 000013
【図７】
2015160137.tif 000014
【図８】
2015160137.tif 000015
【図９】
2015160137.tif 000016
【図１０】
2015160137.tif 000017
【図１１】
2015160137.tif 000018
【図１２】
2015160137.tif 000019
【図１３】
2015160137.tif 000020